(57)【要約】【課題】  本発明は、ユーザに対して、管理リソース不足に影響を与えているタイトルを容易に認識させることができ、効率的な削除を行うことができる情報記録再生装置を提供することを目的とする。【解決手段】  本発明の情報記録再生装置は、記録媒体に記録されている映像データに関する管理情報を記憶する記憶手段と、管理情報のデータ量を検出する検出手段と、管理情報のデータ量の多い順に表示するように制御する制御手段とを備えたことを特徴とする。【選択図】  図５
2007250039.tif 000002
【特許請求の範囲】
【請求項１】
記録媒体に対して、映像データを記録再生する記録再生手段と、
前記記録媒体に記録されている映像データに関する管理情報を記憶する記憶手段と、
前記記憶手段の前記管理情報のデータ量を検出する検出手段と、
前記検出手段の前記管理情報のデータ量の多い順に表示するように制御する制御手段と
を備えたことを特徴とする情報記録再生装置。
【請求項２】
前記管理情報として、前記映像データのデータ量及び前記記録媒体において前記映像データが記録されている複数の領域の数を示すエクステント数を含むことを特徴とする請求項１記載の情報記録再生装置。
【請求項３】
前記記録媒体に対して、デフラグを実行させるか否かの選択画面を表示させるように構成するとともに、
前記選択画面には、前記映像データを前記エクステント数が多い順に表示させるように構成することを特徴とする請求項２記載の情報記録再生装置。
【請求項４】
前記記憶手段に記憶させる前記管理情報の上限値を設定するとともに、
前記記憶手段に記憶された前記管理情報が、前記上限値の所定量に達した場合に、通知を行う通知手段を備えたことを特徴とする請求項１乃至３のいずれか一項記載の情報記録再生装置。
【発明の詳細な説明】
【技術分野】
【０００１】
本発明は、HDD(ハードディスク)や光ディスク等の記録媒体に対して情報を記録再生する情報記録再生装置に関する。
【背景技術】
【０００２】
HDDや光ディスクを用いた情報記録再生装置は、ある放送番組の記録を行なう場合、ディスクの空き領域を探しながら記録動作が行なわれる。また記録したデータの再生のために、上記ディスクに記録された映像データをファイルとして管理する管理データ（データファイルの名前や記録場所、サイズ、記録日時等の管理データ）も映像データと共に記録される。そして新たに記録を行なう場合には、上記管理データを参照して空き領域を探し、その空き領域に記録を行なっていくことになる。
【０００３】
ここで、記録途中に空き領域が無くなった場合には記録が中断してしまうことになる。このようなことを防ぐには事前に過去に記録したデータを削除しておく必要がある。そこで、上記空き領域がなくなった場合、管理データを参照して自動的に記録日時の古いデータから順次削除することで、新たな記録を行なえるようにした記録装置が提案されている。
【０００４】
ところで、編集作業等の際にはディスク上に記録されている管理データを一旦、記録再生装置本体の作業用のメモリに取り込み、取り込んだ管理データを更新した上で、編集作業等の終了後にディスクに上記更新された管理データを書き込むことになる。ここで、記録データにかかる管理データを作業用のメモリに記憶する場合、メモリサイズとの関係から、その記憶容量には上限値が設けられる。そのため、細かな編集作業等を繰り返し行なう場合には管理データの容量が増加し、上限値を越えそうになった際には、上記編集作業等を中断して記録済映像データの削除等が必要になる。
【０００５】
このため、編集作業を実施する前に、記録媒体に記録されている映像データにかかるタイトル、チャプタ、ＶＯＢ、エクステント等の管理データのデータ量と、装置の記憶可能な管理データのデータ量の上限値を表示させ、選択されたタイトルまたはチャプタの管理に使用されているエクステントの数を減少させる、または管理データのみを削除することは知られている。
【特許文献１】特開2005-158151号公報
【発明の開示】
【発明が解決しようとする課題】
【０００６】
しかし、従来の装置は、ユーザは、映像データの消去動作の繰り返しの結果として発生する断片化が進み、管理データが装置の記憶可能なデータ量の上限値に対する全使用量の割合から、管理リソース不足状況は認識できるが、管理リソース確保のためにどのタイトルから削除すればより有効かに提示がないため、効率的な映像データの削除をすることができず、無駄な作業をしてしまうという問題点があった。
【０００７】
なお、他の管理リソース確保の方法であるデフラグを実施するにしても、どのタイトルまたはどのチャプタの順番で実行するのが効率的かも提示されていなかった。
【０００８】
本発明は、ユーザに対して、管理リソース不足に影響を与えているタイトルを容易に認識させることができ、効率的な削除を行うことができる情報記録再生装置を提供することを目的とする。
【課題を解決するための手段】
【０００９】
上記目的を達成するために、本発明の情報記録再生装置は、記録媒体に対して、映像データを記録再生する記録再生手段と、
前記記録媒体に記録されている映像データに関する管理情報を記憶する記憶手段と、
前記記憶手段の前記管理情報のデータ量を検出する検出手段と、
前記検出手段の前記管理情報のデータ量の多い順に表示するように制御する制御手段と
を備えたことを特徴とする。
【００１０】
また、前記管理情報として、前記映像データのデータ量及び前記記録媒体において前記映像データが記録されている複数の領域の数を示すエクステント数を含むことを特徴とする。
【００１１】
また、前記記録媒体に対して、デフラグを実行させるか否かの選択画面を表示させるように構成するとともに、
前記選択画面には、前記映像データを前記エクステント数が多い順に表示させるように構成することを特徴とする。
【００１２】
また、前記記憶手段に記憶させる前記管理情報の上限値を設定するとともに、
前記記憶手段に記憶された前記管理情報が、前記上限値の所定量に達した場合に、通知を行う通知手段を備えたことを特徴とする。
【発明の効果】
【００１３】
本発明によれば、ユーザに対して、管理リソース不足に影響を与えているタイトルを容易に認識させることができ、これにより効率的な削除を行うことができる。
【発明を実施するための最良の形態】
【００１４】
以下、図面を参照して本発明の実施の形態を説明する。
【００１５】
図１は、本発明に係る実施形態を備えた情報記録再生装置2の概略構成図である。図１において、１は映像信号源であり、例えば放送信号から所望のチャンネルを選択するチューナやビデオカメラである。２は記録再生が可能なＨＤＤ（ハードディスクドライブ）付のＤＶＤレコーダ等の情報記録再生装置であり、３は映像信号源１に接続された情報記録再生装置２の入力制御部である。４は情報記録再生装置２のデータバスであり、これには入力制御部３をはじめとして、ＣＰＵ５、エンコーダ６、デコーダ７、ディスクドライブ８、出力制御部９、ＧＵＩ（グラフィカル・ユーザ・インタフェース）制御部１０、データ管理テーブル１１が接続されている。さらに情報記録再生装置２の出力制御部９にはディスプレイ１２が接続されている。
【００１６】
次に、図１の装置の動作を説明する。映像信号源１からの映像信号は、入力制御部３、データバス４を介してエンコーダ６に入力され圧縮符号化される。この圧縮符号化信号はディスクドライブ８にて図示せぬディスクに記録される。ディスクドライブ８にて上記図示せぬディスクから再生された映像信号は、データバス４を介してデコーダ７に入力され、復号化されて元の非圧縮信号に戻される。この信号は、データバス４を介して出力制御部９に入力され、最終的にディスプレイ１２にて映像表示がなされる。ディスクに記録された映像は、ＧＵＩ制御部１０によって編集作業を行なうことができ、また、再生することも出来る。また、データ管理テーブル１１における管理データ量をＧＵＩ制御部１０を介して表示することも出来る。
【００１７】
図２は、ＧＵＩ制御部１０にて映像データ等の削除を行なう場合の、ディスプレイ１２の画面の一例を示している。図２において、２０はディスプレイ１２の画面であり、２１乃至２８はディスクに記録されているタイトル別の映像データのサムネイル画像である。ここで例えばディスクからあるタイトルの映像データを消去しようとするときは、ＧＵＩを用いて画面２０の上半分の領域３０に表示された上記サムネイル画像をカーソルで選択し、ディスプレイ１２の画面２０の下半分の消去領域３１に画像を移動させる。
【００１８】
図２では、２１及び２２のタイトルの画像データを消去するべく、当初、画面２０の上半分の領域３０に表示されていたサムネイル画像２１、２２を画面２０の下半分の領域３１に移動させた状態を示している。この状態で、図示せぬ消去実行ボタン等を押すことにより、実際にディスクから上記２つのタイトルの映像データが消去されることになる。この消去は、具体的にはＧＵＩ制御部１０からの制御信号を受けてＣＰＵ５がディスクドライブ８を駆動制御することで実行される。
【００１９】
図３は、ＧＵＩ制御部１０にて映像データ等のデフラグを行なう場合の、ディスプレイ１２の画面の一例を示している。図中、２０はディスプレイ１２の画面であり、４１乃至４８はディスクに記録されているタイトル別の映像データのサムネイル画像である。ここで例えばディスクからあるタイトルの映像データをデフラグしようとするときは、ＧＵＩを用いて画面２０の上半分の領域３０に表示された上記サムネイル画像をカーソルで選択し、ディスプレイ１２の画面２０の下半分の消去領域３１に画像を移動させる。
【００２０】
図３では、４１及び４２のタイトルの画像データをデフラグするべく、当初、画面２０の上半分の領域３０に表示されていたサムネイル画像４１、４２を画面２０の下半分の領域３１に移動させた状態を示している。この状態で、図示せぬデフラグ実行ボタン等を押すことにより、実際にディスクから上記２つのタイトルの映像データがデフラグされることになる。このデフラグは、具体的にはＧＵＩ制御部１０からの制御信号を受けてＣＰＵ５がディスクドライブ８を駆動制御することで実行される。
【００２１】
次に、図４は、データ管理テーブル１１における管理データ量をＧＵＩ制御部１０を介して表示する動作について説明する。図４は、管理データ量表示（リソース表示）のフローチャートである。リソース表示処理は、全てのタイトルにかかる各リソースが未算出か否かをチェックする（ステップＳ４０１）。全てのタイトルにかかる各リソースが未算出ならば（ステップＳ４０１でＹＥＳ）、次のタイトルに関して使用中の各リソース量（チャプタ数、ＶＯＢ数、エクステント数）の算出を行い、算出値を加算して（ステップＳ４０２）、ステップＳ４０１に戻る。
【００２２】
なお、ここで、チャプタ、ＶＯＢ、エクステントについて説明をする。チャプタはタイトルが複数の部分に分かれている場合のそれぞれの部分を示し、複数部分に分かれていない場合は、タイトル（数）とチャプタ（数）は一致する。ＶＯＢ（Ｖｉｄｅｏ Ｏｂｊｅｃｔ）は複数のエレメンタリ・ストリームを集合したＭＰＥＧプログラム・ストリームであり、チャプタを更に細かく分けたそれぞれの部分をいう。
【００２３】
ところで、ディスクへの最初の記録を除いては必ずしも連続したトラックに１タイトルの全てが記録されることはなく、飛び飛びに記録されることが多い。これは、編集作業を含めて消去動作の繰り返しの結果として、空き領域が飛び飛びに生じるためである。これらの分割部分をエクステントと称し、エクステントの総数がエクステント数となる。以上の数値が大きい場合、位置データ等の管理データが多くなることになる。
【００２４】
図４に示したフローは、タイトルの全てについて各リソース量の計算がなされ積算されるまで繰り返される。全てのタイトルにかかる各リソース量の算出が終了した場合、ステップＳ４０１でＮＯとなり、ステップＳ４０３に移行する。ステップＳ４０３では、ステップＳ４０２で算出／加算された各リソース量がディスプレイ１２の画面上に表示されて、終了となる。
【００２５】
図５は、上記ステップＳ４０２でのデータ管理テーブル例を示す。図５は、全てのタイトルとそのリソース量とエクステント数を示したものである。この表示例の場合、タイトル５１をリソース量５２の大きい順に並べたものである。この順番が、上記図２，図３の記録タイトルの並び順となる。
【００２６】
図６は、ステップＳ４０３でのリソース情報の表示例を示す。図６は全リソース量を数字で示したものである。この表示例の場合、管理リソース数６１に対して、装置としての上限値６２、ディスクで使用している全使用量６３と使用率６４、更に、後述する（図７の注意文言表示７０）使用率６４が所定数以上になった場合、ディスプレィイ１２に注意文言を表示する閾値となる注意レベル６５を表示する。注意レベル６５は図示せぬユーザにより設定値の変更が可能なものとする。
【００２７】
図７は、装置が管理リソース不足になった場合に、ディスプレイ１２に表示される注意文言７０を示す。上記表示によれば、上限値に対する全使用量の割合からリソースの不足状況を知ることが出来、また所定値以上に達した場合に注意文言７０が表示され、ユーザはリソース量不足を容易に認識でき、その後の対処方法を知ることが出来る。
【００２８】
図８は、上記表示機能を利用して、例えば編集作業中に、管理データ領域を確保するための処理を示すフローチャートである。最初にユーザは映像データの記録または消去等編集を繰り返す（ステップＳ８０１）。すると、図４に示したように、タイトルに対するリソース量の算出／加算を繰り返し、図示せぬユーザの要求に応じて図６をディスプレイ１２の画面上にリソースの上限値及び使用量が表示される。ここで、ＣＰＵ５は使用率６４と注意レベル６５を比較してリソースが十分であるか否かを判断する（ステップＳ８０２） 。リソースが十分であると判断された場合（ステップＳ８０２でＮｏ）は、何ら対応する必要が無いため、処理は終了となる。
【００２９】
なお、リソースが不十分であると判断された場合（ステップＳ８０２でＹｅｓ）は、ディスプレイ１２の画面上に注意例として「管理ソース不足です。タイトルの削除またはデフラグを実行しますか？」７１が表示されその選択子「はい」７２、「いいえ」７３も併せて表示する（ステップＳ８０３）。上記の「はい」７２をユーザが選択した場合は、図示せぬタイトル削除またはデフラグの選択により、上記図２乃至図３に示すように、記録タイトルをリソース量の順に表示する（ステップＳ８０４）。ここでユーザは、リソース確保のために、不要と思われるタイトルの削除を行なう。すなわち、削除可能なタイトルがあるか否かをユーザにて判断する（ステップＳ８０５）。不要と思われるタイトルがあれば（ステップＳ８０５でＹＥＳ）、該当タイトルの削除を実行する（ステップＳ８０６）。ここでは、リソース量の大きい順にタイトルが表示されているため、選択したタイトルで使用している各リソースが他のタイトルに比較して大きいか否かを容易に判断できる。ステップＳ８０６で選択したタイトルの削除を行なった結果、十分なリソースの確保がなされたか否かは、ステップＳ８０２にて再び確認されることになる。すなわち、削除可能なタイトルがある限り、使用可能なリソース量が十分に確保されるまでタイトルのリソース表示と削除が続けられることができる。
【００３０】
一方、先のステップＳ８０５にてＮＯとなった場合（当初から削除可能なタイトルが存在しない場合及び十分なリソース量を確保する前に削除可能な不要タイトルがなくなった場合）、タイトルの削除以外の手段で対応することも可能である。ここでは、特にエクステントのリソースが不足している場合の対応として、デフラグタイトルを選択して、メディア内移動等のデフラグ処理を行い（ステップＳ８０７、Ｓ８０８）、リソース量の確認（ステップＳ８０２）に戻るようにしている。ここでも、デフラグで効果のある断片化しているタイトル順に表示されているため（ステップＳ８０７）、一番効果のあるタイトルからデフラグ処理（ステップＳ８０８）を行なうことができる。
【００３１】
以上の処理は、エクステントのリソース不足はサイズの割にエクステントが多い（すなわち断片化している）ことを意味するので、そのようなタイトルのものをデフラグすることでリソース不足を解消できることからなされている。なお、ステップＳ８０７ではデフラグを行なっているが、他の手段を採用することも可能である。すなわち、チャプタ数が多い場合は選択されたタイトルからチャプタにかかる情報を削除してリソースを開放したり、ＶＯＢ数が多い場合は選択されたタイトル／チャプタを再度エンコードしてコピーを行なうことで、使用しているＶＯＢ数を減らしてリソースを開放することが出来る。
【図面の簡単な説明】
【００３２】
【図１】本発明の一実施の形態による情報記録再生装置の概略構成図。
【図２】同実施の形態にかかわる映像データ等の削除を行なう場合のディスプレイの画面例。
【図３】同実施の形態にかかわる映像データ等のデフラグを行なう場合のディスプレイの画面例。
【図４】同実施の形態にかかわるデータ管理テーブルにおける管理データ量を表示するフローチャート。
【図５】同実施の形態にかかわるデータ管理テーブル例。
【図６】同実施の形態にかかわるリソース情報の表示例
【図７】同実施の形態にかかわる管理リソース不足の注意表示例。
【図８】同実施の形態にかかわる管理データ領域を確保するための処理を示すフローチャート。
【符号の説明】
【００３３】
2  情報記録再生装置
10  ＧＵＩ制御部
11  データ管理テーブル
【図１】
2007250039.tif 000003
【図２】
2007250039.tif 000004
【図３】
2007250039.tif 000005
【図４】
2007250039.tif 000006
【図５】
2007250039.tif 000007
【図６】
2007250039.tif 000008
【図７】
2007250039.tif 000009
【図８】
2007250039.tif 000010